(57)【要約】【課題】  構造が簡単であり、部品点数が少なく、加工性，組付性が向上し、組立てた状態でも簡単に搬送でき、安価な簡易ハウスその他の構造物及びこの構造物の骨組として利用する梁材を提供すること。【解決手段】  水平又はＵ字状，Ｖ字状，山形状若しくは半円状に折り曲げてアーチ状に形成した弾性な線材からなる梁本体２と、梁本体２の両端に当該梁本体２と左右方向又は前後方向に直交して延設された波形又は台形状の係止線条３，３とからなる。【選択図】  図１
2007202549.tif 000002
【特許請求の範囲】
【請求項１】
水平又はＵ字状，Ｖ字状，山形状若しくは半円状に折り曲げてアーチ状に形成した弾性な線材からなる梁本体と、梁本体の両端に当該梁本体と左右方向又は前後方向に直交して延設された波形又は台形状の係止線条とからなる梁材。
【請求項２】
梁本体の両端に設けた波形又は台形状の係止線条が一つ又は複数連続して設けられ、且つ当該両端の係止線条が同一方向又は反対方向に向いている請求項１の梁材。
【請求項３】
梁本体の両端に屈曲部を介して波形又は台形状の係止線条が連設されている請求項１又は２の梁材。
【請求項４】
矩形又は円形の枠体と、枠体上に起立する複数のアーチ状梁材と、梁材上に展張した透光性シートとからなる簡易ハウスにおいて、上記枠体を開口部巾狭の長尺又は円形の蟻溝フレームで構成し、上記梁材をＵ字状，Ｖ字状，山形状若しくは半円状に折り曲げてアーチ状に形成した梁材からなる梁本体と、梁本体の両端に当該梁本体と左右方向又は前後方向に直交して延設された波形又は台形状の係止線条とで構成し、上記係止線条を上記蟻溝フレームの蟻溝に嵌合させて梁本体を起立させたことを特徴とする簡易ハウス。
【請求項５】
枠体上に梁材を複数平行に起立し、又は複数の梁材を直交して起立させている請求項４の簡易ハウス。
【請求項６】
枠体を地上，花壇又は架台上に起立させている請求項４又は５の簡易ハウス。
【請求項７】
枠体内に水受けシートを敷設して水耕栽培用に適用する請求項４の簡易ハウス。
【請求項８】
ビニールハウスの妻面，屋根面又は側面に開口枠と開口枠に対向して開閉自在に設けた窓枠と、開口枠と窓枠との間に梁材を介して展設したネットとからなる換気装置において、上記開口枠と窓枠とを開口部巾狭の長尺な蟻溝フレームで形成し、上記梁材をＵ字状，Ｖ字状，山形状若しくは半円状に折り曲げた線材からなる梁本体と、梁本体の両端に当該梁本体と左右方向又は前後方向に直交して延設された波形又は台形状の係止線条とで構成し、上記係止線条をそれぞれ上記開口枠と窓枠との蟻溝フレームに嵌合させ、梁本体上にネットを展張させたことを特徴とする換気装置。
【請求項９】
ビニールハウスの妻面，屋根面又は側面に開口枠と開口枠に対向して開閉自在に設けた窓枠と、開口枠と窓枠との間に展設したネットとからなる換気装置において、上記開口枠を開口部巾狭の長尺な蟻溝フレームで形成し、上記梁材をＵ字状，Ｖ字状，山形状若しくは半円状に折り曲げた線材からなる梁本体と、梁本体の両端に当該梁本体と左右方向又は前後方向に直交して延設された波形又は台形状の係止線条とで構成し、上記係止線条を上記開口枠の蟻溝フレームに嵌合させ、梁本体の水平方向に転倒しようとするばね力でネットを開口枠の内側に附勢させていることを特徴とする換気装置。
【請求項１０】
矩形又は円形の枠体と、枠体に連結された複数のアーチ状梁材と、梁材の外側又は内側に展張した網又は布シートとからなり、上記枠体を開口部巾狭の長尺又は円形の蟻溝フレームで構成し、上記梁材をＵ字状，Ｖ字状，山形状若しくは半円状に折り曲げてアーチ状に形成した梁本体と、梁本体の両端に当該梁本体と左右方向又は前後方向に直交して延設された波形又は台形状の係止線条とで構成し、上記係止線条を上記蟻溝フレームの蟻溝に嵌合させて梁本体を下方に向けて起立させたことを特徴とする容器。
【発明の詳細な説明】
【技術分野】
【０００１】
本発明は、植物の育成に利用するビニールハウス等の簡易のハウス，温室の換気装置およびこれらの構造物の骨組として利用する梁材に関する。
【背景技術】
【０００２】
一般に、野菜，花，果実等の植物の育成，栽培に利用するビニールハウスでは地上にアーチ状のパイプからなる骨組を多数起立させ、このアーチ状の骨組上に透光性のシートを展張させるのが一般的である。
【０００３】
このビニールハウスとしては大型のトンネルハウスや小型の簡易ハウスが知られており、アーチパイプからなる骨組は、直接地上に差し込んで起立するタイプのものや、あらかじめ矩形の枠体を形成しておき、この枠体上に起立させるタイプのものが知られている。
【０００４】
特に、最近は、家庭用のミニハウスとしては、例えば、特許文献１，２に示すような、大型のハウス用のアーチパイプに比べて比較的小さいアーチ状の梁材を利用した簡易ハウスが流行してきている。
【０００５】
特許文献１に示す簡易ハウスは、平行な一対のレール状枠体と、この枠体上に平行に起立する複数の梁材と、この梁材上に展張した透光性シートとからなるものである。
【０００６】
又、特許文献２に示す簡易ハウスは、矩形の床フレームと、床フレームの両側上に起立する多数のアーチ取付脚と、このアーチ取付脚に差し込まれるアーチ材と、アーチ材に展張した透光性シートとからなるものである。
【特許文献１】特開２００１‐１２００８０公報（要約，図１）
【特許文献２】特開平９‐２０１１３５公報（要約，図１，図２）
【発明の開示】
【発明が解決しようとする課題】
【０００７】
上記特許文献１，２に示すような簡易ハウスは、骨組たる梁材をしっかりと起立でき、簡易ハウスの組立を向上できるが、梁材の下部を枠体上に起立させる取付構造が枠体側に設けられているため複雑であり、物品点数が多く、加工性，経済性において不利である。
【０００８】
又、枠体に多数の部品が必要であることから枠体、ひいては、簡易ハウス全体の重量が重くなり、簡易ハウス自体を起立した状態で単独で搬送するのが困難であるという不具合がある。
【０００９】
そこで、本発明の目的は、構造が簡単であり、部品点数が少なく、加工性，組付性が向上し、組立てた状態でも簡単に搬送でき、安価な簡易ハウスその他の構造物及びこの構造物の骨組として利用する梁材を提供することである。
【課題を解決するための手段】
【００１０】
上記の目的を達成するため、本発明に係る梁材は、水平又はＵ字状，Ｖ字状，山形状若しくは半円状に折り曲げてアーチ状に形成した弾性な線材からなる梁本体と、梁本体の両端に当該梁本体と左右方向又は前後方向に直交して延設された波形又は台形状の係止線条とからなることを特徴とするものである。
【００１１】
この場合、梁本体の両端に設けた波形又は台形状の係止線条が一つ又は複数連続して設けられ、且つ当該両端の係止線条が同一方向又は反対方向に向いているのが好ましい。
【００１２】
同じく、梁本体の両端に屈曲部を介して波形又は台形状の係止線条が連設されていても良い。
【００１３】
更に、上記の目的を達成するため、本発明に係る構造物たる簡易ハウスは、矩形又は円形の枠体と、枠体上に起立する複数のアーチ状梁材と、梁材上に展張した透光性シートとからなる簡易ハウスにおいて、上記枠体を開口部巾狭の長尺又は円形の蟻溝フレームで構成し、上記梁材をＵ字状，Ｖ字状，山形状若しくは半円状に折り曲げてアーチ状に形成した梁材からなる梁本体と、梁本体の両端に当該梁本体と左右方向又は前後方向に直交して延設された波形又は台形状の係止線条とで構成し、上記係止線条を上記蟻溝フレームの蟻溝に嵌合させて梁本体を起立させたことを特徴とするものである。
【００１４】
この場合、枠体上に梁材を複数平行に起立し、又は複数の梁材を直交して起立させていても良い。
【００１５】
同じく、地上，花壇又は架台上に起立させても良く、枠体内に水受けシートを敷設して水耕栽培用に適用するようにしても良い。
【００１６】
更に、上記の目的を達成するため、他の構造物たるビニールハウスの換気装置は、ビニールハウスの妻面，屋根面又は側面に開口枠と開口枠に対向して開閉自在に設けた窓枠と、開口枠と窓枠との間に梁材を介して展設したネットとからなる換気装置において、上記開口枠と窓枠とを開口部巾狭の長尺な蟻溝フレームで形成し、上記梁材をＵ字状，Ｖ字状，山形状若しくは半円状に折り曲げた線材からなる梁本体と、梁本体の両端に当該梁本体と左右方向又は前後方向に直交して延設された波形又は台形状の係止線条とで構成し、上記係止線条をそれぞれ上記開口枠と窓枠との蟻溝フレームに嵌合させ、梁本体上にネットを展張させたことを特徴とするものである。
【００１７】
同じく、更に別の構造物たるビニールハウスの換気装置は、ビニールハウスの妻面、屋根面又は側面に開口枠と開口枠に対向して開閉自在に設けた窓枠と、開口枠と窓枠との間に展設したネットとからなる換気装置において、上記開口枠を開口部巾狭の長尺な蟻溝フレームで形成し、上記梁材をＵ字状，Ｖ字状，山形状若しくは半円状に折り曲げた線材からなる梁本体と、梁本体の両端に当該梁本体と左右方向又は前後方向に直交して延設された波形又は台形状の係止線条とで構成し、上記係止線条を上記開口枠の蟻溝フレームに嵌合させ、梁本体の水平方向に転倒しようとするばね力でネットを開口枠の内側に附勢させていることを特徴とするものである。
【００１８】
同じく、更に別の構造物たる容器は、矩形又は円形の枠体と、枠体に連結された複数のアーチ状梁材と、梁材の外側又は内側に展張した網又は布シートとからなり、上記枠体を開口部巾狭の長尺又は円形の蟻溝フレームで構成し、上記梁材をＵ字状，Ｖ字状，山形状若しくは半円状に折り曲げてアーチ状に形成した梁本体と、梁本体の両端に当該梁本体と左右方向又は前後方向に直交して延設された波形又は台形状の係止線条とで構成し、上記係止線条を上記蟻溝フレームの蟻溝に嵌合させて梁本体を下方に向けて起立させたことを特徴とするものである。
【発明の効果】
【００１９】
本発明によれば、次の効果がある。
【００２０】
１）請求項１，２，３の梁材によれば、梁本体の両端に取付機構として波形又は台形状の係止線条が形成されているから、この係止線条を介して直接簡易ハウス、換気装置等の構造物に骨組として取付けできる。
【００２１】
更に、梁本体と係止線条とが一体成形されているから、梁材としての用途が拡大でき、汎用性があり、梁材としての経済性が向上する。
【００２２】
又、梁材自体の構造物に対する組付性が向上し、着脱操作が容易でスピードアップを図れる。
【００２３】
２）請求項４，５，６，７，８，９，１０における構造物たる簡易ハウス，換気装置又は容器によれば、上記の梁材を骨組として利用しているから、この構造物の組立が容易であり、素人でも組立，解体ができるから家庭用のミニハウスとしての利用価値が向上する。
【００２４】
又、上記の構造物の構造の簡素化が図れ、部品点数が減少し、構造物を安価に成形できる。
【００２５】
又、上記の簡易ハウス又,容器は、組立後は一体にしたまま素人でも搬送，格納ができ、移送のスピードアップ化とコストダウンを図れる。
【発明を実施するための最良の形態】
【００２６】
以下、本発明の実施形態を図に基づいて説明するが、図１（Ａ）（Ｂ）（Ｃ）は、本発明の一実施の形態に係る梁材１を示し、図２乃至図１７は、このこの梁材１を利用した構造物たる簡易ハウス又はビニールハウスの換気装置を示すものである。
【００２７】
構造物としては、家庭用の温室たる簡易ハウス、いわゆるミニハウスとして適用されるのが好ましいが、針金状の細い剛線からなる梁材１を骨組として利用するものであれば、他の構造物であっても良い。
【００２８】
本発明の梁材１の基本的構成は、図１に示すように、アーチ状に形成した線材からなる梁本体２と、梁本体２の両端に当該梁本体２と左右方向に直交して延設された台形状の係止線条３とからなるものである。
【００２９】
両端の係止線条３，３は、同一方向に向いていても良く、反対方向に向いていても良く、また、この係止線条３は、梁本体２に対して前後方向に直交していても良く、台形状に代えて波形に形成しても良く、更に、係止線条３の外端にはゴム等からなる滑り止め部材４，５を差し込んでおいても良い。
【００３０】
波形又は台形状の係止線条は、複数連続して設けられているが、一つであっても使用可能であり、梁本体２は、針金状の細い弾性のある剛線からアーチ状に形成されており、同じ剛線の両端部を折り曲げて係止線条４，５が一体に成形されている。
【００３１】
更に、梁本体２の両端に屈曲部５を介して波形又は台形状の係止線条３が連設されており、梁本体２は、あらかじめＵ字状,Ｖ字状，山形状若しくは半円状に折り曲げてアーチ状に成形しておいても良く、水平にしたものをその都度アーチ状に折り曲げても良い。
【００３２】
図２乃至図６は、上記の梁材１を骨組として利用して組立てた小型のビニールハウス、即ち家庭用の簡易ハウスＡを示し、この簡易ハウスＡは、矩形の枠体６と、枠体６上に起立する複数のアーチ状梁材１と、梁材１上に展張した透光性シート７とからなるものである。
【００３３】
そして、上記枠体６を開口部巾狭の長尺の蟻溝フレーム８で構成し、上記梁材１を図１に示すものと同じくアーチ状に形成した線材からなる梁本体２と、梁本体２の両端に当該梁本体と左右方向又は直交して延設された波型又は台形状の係止線条３とで構成し、上記係止線条３を上記前後の蟻溝フレーム８の蟻溝９に嵌合させているものである。
【００３４】
図３，図４に示すように、梁材１上に配置された透光性にシート７は、公知のようにその外周が蟻溝フレーム８の蟻溝９に対して他の台形を連続した係止線条１０を介して定着されている。
【００３５】
枠体６のコーナに直角に折り曲げた継手１１を設け、この継手１１に直交する蟻溝フレーム８の端部を差し込んで枠体６を矩形に成形している。
【００３６】
梁本体２と係止線条３との連結部に設けた屈曲部５は、図４乃至図６に示すように蟻溝フレーム８のカール部８ａに係合するようになっているが、これに代えて、図７，図８に示すように、この屈曲部５を設けずにカール８ａを直接梁本体２が乗り越えるようにしても良い。
【００３７】
梁材１を枠体６に起立させる場合には、あらかじめ梁本体２を枠体６の所定の位置に配置し、次いで指で係止線条３の端部を持って先ず屈曲部５をカール部８ａに引掛け、次いで、係止線条３自体を順次蟻溝９内に嵌合させる。
【００３８】
この結合方法を複数の梁本体２の両側において行なえば、係止線条３，３で定着された各梁本体２がアーチ状となって枠材６上に骨組として複数起立でき、この状態でシート７を各梁材１上に展張させる。
【００３９】
枠体６と、アーチ状の梁材１と、梁材１上に展張した簡易ハウスＡは、そのまま家庭用のミニハウスたる温室として利用でき、枠体６を畑、庭等の地上に起立してアンカーボルト１２で固定し、地上の野菜，花等の植物個Ｂの育成，栽培に利用できる。
【００４０】
上記の係止線条３は、前後の蟻溝フレーム８，８に取付けているが、左右両端の梁材１，１は左右の蟻溝フレーム８，８に固定しても良く、この場合に、係止線条３は、梁本体２に対して前後方向に向けて設ける必要がある。
【００４１】
図９は、本発明の他の実施形態に係る構造物たる家庭用の簡易ハウスＣを示すもので、この簡易ハウスＣは、矩形の枠体６と、枠体６上に直交して起立する二本のアーチ状梁材１上に展張した透光性シート７とからなるものである。
【００４２】
そして、上記枠体６を開口部巾狭の長尺の蟻溝フレーム８で構成し、上記梁材１をアーチ状に形成した線材からなる梁本体２と、梁本体２の両端に当該梁本体２と左右方向に直交して延設された波形又は台形状の係止線条３とで構成し、上記係止線条３を上記蟻溝フレーム８の蟻溝９に嵌合させたものである。その他の構成，作用，効果は、図１の実施の形態と同じである。
【００４３】
図１０は、本発明の他の実施形態に係り、これは、図９の簡易ハウスＣの枠体を変更したもので、即ち、これは、円形の枠体６と、枠体６上に直交して起立する複数の例えば２本のアーチ状梁材１と、梁材１上に展張した透光性シート７とからなるものである。
【００４４】
そして、上記枠体を開口部巾狭の円形の蟻溝フレーム８で構成し、上記梁材１をアーチ状に形成した線材からなる梁本体２と、梁本体２の両端に当該梁本体２と左右方向又は直交して延設された波形又は台形状の係止線条３とで構成し、上記係止線条３を上記蟻溝フレーム８の蟻溝９に嵌合させたものである。その他の構成、作用、効果は図１の簡易ハウスＡと同じである。
【００４５】
図１１，図１２は、図１に示す簡易ハウスＡの使用例を示し、図１１は、地上に配置した支持板１３上に花等の植物を植えた鉢１４やプランター１５を置き、この支持板１３上又は支持板１３の外周に枠体６を介して簡易ハウスＡを置いて温室として利用するものである。
【００４６】
同じく、図１２は、レンガ１６を組立てた花壇１７に花等の植物Ｂを植え、この花壇１７上に温室として簡易ハウスＡを置くものである。
【００４７】
上記図１１，図１２の簡易ハウスは、支持板１５上や花壇１７上に順次組立てても良く、あるいはあらかじめ工場で組立てたもので搬送して、又は買入してキャップのように支持板５や花壇１７上に配置しても良い。
【００４８】
同じく、図１３も図１の簡易ハウスＡの他の使用例を示し、これは、架台１８上に組立てたいちご等の果実栽培用枠１９上にキャップ式に温室として置いたものである。
【００４９】
果実栽培用枠１９内には土が盛り込まれており、この土中にいちご等に植物Ｅを植え、簡易ハウスＡにより植物Ｅの育成を図っているが、展張したシート７の代わりに通気性の良いネットを展張しても良い。
【００５０】
更に、図１４，図１５は、本発明の他の実施形態に係り、これは、構造物として水耕栽培用の温室に適用した例を示すものであり、この温室Ｅの基本構造は、図２の簡易ハウスＡと同じであるが、枠体６の内側にゴム，合成樹脂等からなる水受けシート２０を敷設した点が異なる。
【００５１】
即ち、この水耕栽培用の温室Ｅは、水受けシート２０上に水２１を保留させ、又、水受けシート２０に配置した苗用の鉢２２内の苗２３又は種に水を供給して植物の水耕栽培を行なうものである。
【００５２】
この場合、水受けシート２０の外周端部は、前後、左右の蟻溝フレーム８の蟻溝９内に係止線条１０を介して定着させており、その他の構造は、図２の簡易ハウスＡの場合と同じであるから、同一の符号を付すことで詳細は省略する。
【００５３】
図１６（Ａ）（Ｂ）は、本発明に係る梁材１をビニールハウスの妻面に設けた換気装置におけるネットの取付けに適用した他の実施の形態を示すもので、この換気装置Ｆは、ビニールハウスの妻面，屋根面又は側面に開口枠２３と開口枠２３に対向して開閉自在に設けた窓枠２４と、開口枠２３と窓枠２４との間に梁材１を介して展設したネット２５とからなるものである。
【００５４】
この場合、上記開口枠２３と窓枠２４とを開口部巾狭の長尺な蟻溝フレーム８，８で形成し、上記梁材１をアーチ状に形成した線材からなる梁本体２と、梁本体２の両端に当該梁本体２と左右方向又は前後方向に直交して延設された波形又は台形状の係止線条３とで構成し、上記係止線条３をそれぞれ上記開口枠２３と窓枠２４との蟻溝フレーム８，８に嵌合させ、梁本体２上にネット２５を展張させているものである。
【００５５】
上記の実施の形態においては、ネット８を温室の外側に配置しているが、同一構造を利用してネット２５を温室の内側に配置しても良い。
【００５６】
窓枠２４は、手動でも、又は開閉駆動部材２６を介して開閉されて温室内の換気を行ようになっていおり、ネット２５は、公知のように窓枠２４を開いた時、外部の害虫が侵入たり、又は室内で飼育されている蜜蜂等が外部に逃げるのを防止させている。
【００５７】
図１７及び図１７（Ａ）（Ｂ）（Ｃ）は、本発明に係る梁材１をビニールハウスの屋根面に設けた換気装置におけるネットの取付けに適用した他の実施の形態を示すもので、この換気装置Ｈは、図１６の換気装置Ｆと略同じように構成させても良いが、この場合は窓枠２４を閉じた時、ネット２５が屋根面Ｋ上に水平に畳まれるようにしたことを特徴とする。
【００５８】
この換気装置Ｈは、図１６の換気装置Ｆと同じくビールハウスの屋根面Ｋに開口枠２３と開口枠２３に対向して開閉自在に設けた窓枠２４と、開口枠２３と窓枠２４との間に梁材１を介して展設したネット２５とからなるものである。
【００５９】
そして、上記開口枠２３と窓枠２４とを開口部巾狭の長尺な蟻溝フレーム８，８で形成し、上記梁材１をアーチ状に形成した線材からなる梁本体２と、梁本体２の両端に当該梁本体２と左右方向又は前後方向に直交して延設された波形又は台形状の係止線条３とで構成し、上記係止線条３をそれぞれ上記開口枠２３と窓枠２４との蟻溝フレーム８，８に嵌合させ、梁本体２上にネット２５を展張させているものである。
【００６０】
この場合、梁材１の梁本体２が図１８（ｂ）に示すように捩って折り曲げながら両端部の係止線条３，３を開口枠２３と窓枠２４の蟻溝８，８に嵌合させている。
【００６１】
この為、図１８（ａ）の全開状態からから半開状態（ｂ）全閉状態（ｃ）に移行した時、梁本体２が図１８（ｃ）に示すように水平となり、その結果、ネット２５も屋根面Ｋに沿って水平となる。
【００６２】
次に、図１９乃至図２４は、本発明の他の実施の形態に係る換気装置を示し、これらは、上記図１６，図１７に示す換気装置を変形したものであり、この換気装置は、梁材１の取付け状態を変更して、窓枠２４を閉じた時、梁材１のばね力でネット２５を換気装置の中側に押し込んだり、引っ張り込むようにしたものである。従って、基本的な構造は、すでに図１６，図１７において説明したので省略し、特徴のある部分について説明する。
【００６３】
即ち、図１９図乃至図２２に示す換気装置は、図１７の屋根面側の換気装置と実質的に同じであり、図２３の換気装置は図６に示す妻面側の換気装置と同じであり、図２４は屋根側の天窓における換気装置である。
【００６４】
そして、これらの換気装置は、基本的に同じであって、開口枠２３と、開口枠２３に対向して開閉自在に設けた窓枠２４と、開口枠２３と窓枠２４との間に展設したネット２５と、開口枠２３に取付けられてネット２５を開口枠２３の内側方向に附勢する梁材１とからなるものである。
【００６５】
図１６，図１７において、すでに説明したように、上記開口枠２３は開口部巾狭の長尺な蟻溝フレーム８で形成されており、梁材１は、半円状に折り曲げた線材からなる梁本体２と、梁本体２の両端に当該梁本体２と左右方向に直交して延設された波形の係止線条３とで構成されている。
【００６６】
そして、この係止線条３を上記開口枠２３の蟻溝フレーム８に嵌合させた時に梁本体２が当該梁本体２と係止線条３との間の捻りに起因するばね力で梁本体２が開口枠２３の内側方向に転倒するようになっている。
【００６７】
これにより、窓枠２４を閉じた時、ネット２５はこの梁本体２で押され、又は引っ張られて開口枠２３の内側に格納される。
【００６８】
例えば、図２０（Ａ）（Ｂ）（Ｃ）の工程から分かるように、梁材１をネット２５より外側に配置した場合、開口枠２３が開口している時は、梁材１の梁本体２がネット２５の外面に当接してこれを内側に附勢している。
【００６９】
しかし、開口枠２３を下方に向けて閉じると、梁材１の梁本体２で押し込まれたネット２５が開口枠２３の内側に押され、窓枠２４の下側に格納される。これにより、風雨があってもネット２５が飛んだり，擦れたり、損傷するのが防止される。
【００７０】
梁材１は、図２１に示すように、ネット２５の外側に配置して内側に押し込むようにても良いし、図２２に示すように梁材１をネット２５の内側に配置しておき、梁本体２の頂部にクリップその他の止め具３０を介してネット２５の胴部を結合し、梁本体２の水平方向に転倒しようとするばね力に伴ってネット２５が止め具３０を介して内側に引っ張り込まれるようにしても良い。
【００７１】
図２３は、図１６と同じく妻面側側の換気装置であり、梁材１がネット２５の外側又は内側に配置され、この梁材１がネット２５を換気装置の中側に押し込み又は引っ張り込むようにしている。
【００７２】
同じく、図２４は、屋根面側の天窓に利用された換気装置であり、これも開口枠２３と上下移動自在な窓枠２４Ａとの間にネット２５が展張され、このネット２５の外側又は内側に配置した梁材１でネット２５を天窓の内側に押し込み又は引っ張り込むようにしたものである。
【００７３】
図２５乃至図３０は、本発明の他の実施の形態に係り、これは、本発明の梁材１を利用した網製又は布シート製の容器である。
【００７４】
即ち，この容器Ｙは、図２の簡易ハウスを逆さにしたものと構造が同じであり、矩形又は円形の枠体６と、枠体６に連結された複数のアーチ状梁材１と、梁材１の外側又は内側に展張した網又は布シート２６とからなり、上記枠体６を開口部巾狭の長尺又は円形の蟻溝フレーム８で構成し、上記梁材１をＵ字状，Ｖ字状，山形状若しくは半円状に折り曲げてアーチ状に形成した梁本体２と、梁本体２の両端に当該梁本体２と左右方向又は前後方向に直交して延設された波形又は台形状の係止線条３とで構成し、上記係止線条３を上記蟻溝フレームの蟻溝に嵌合させて梁本体２を下方に向けて起立させたものである。
【００７５】
この容器Ｙは、図２５に示すように、簡易式のゴミ収容容器として利用できるが、例えば、図２６，図２７に示すように、建築物の解体時に発生するゴミ、特にアスベストの回収等に利用すると便利である。
【００７６】
即ち、建築物のＨ鋼Ｈの外周に長手方向に沿って容器Ｙを着脱自在に取付けておき、Ｈ鋼Ｈの外周から剥離させたアスベスト等の断熱材の紛体２７を容器Ｙ内に回収するものである。
【００７７】
容器Ｙにおける梁材１の組付け方はいろいろあり、図２８，図２９に示すように隣接する梁材１，１の梁本体２，２を十字状に組み付けてもよく、図３０に示すように梁材１，１をシート２６の外側と内側に交互に配置しても良い。
【００７８】
上記の換気装置，容器に利用する梁材１は、すでに述べたものと同じように、梁本体２をあらかじめアーチ状に成形しておいても良く、あるいは水平に成形した梁本体２を構造物に取付けた時アーチ状に折り曲げても良い。
【００７９】
又、材質は、金属製の丸棒，角棒から成形しても良く、更に、アーチ状の形状は、半円状，弓形状，Ｕ字状，コ字状あるいはＶ字状であっても良い。
【図面の簡単な説明】
【００８０】
【図１】（Ａ）（Ｂ）（Ｃ）は本発明の一実施の形態に係る梁材の斜視図，端部拡大斜視図である。
【図２】図１の梁材を利用した構造物たる簡易ハウスの斜視図である。
【図３】図２の分解斜視図である。
【図４】図３の一部拡大斜視図である。
【図５】図２の枠体と梁材と結合状態を示す拡大正面図である。
【図６】図５の縦断側面図である。
【図７】他の実施の形態に係る梁材を枠体に組付けた状態の一部拡大斜視図である。
【図８】図７の縦断側面図である。
【図９】他の実施の形態に係る簡易ハウスの斜視図である。
【図１０】他の実施の形態に係る簡易ハウスの斜視図である。
【図１１】他の実施の形態に係る簡易ハウスの斜視図である。
【図１２】他の実施の形態に係る簡易ハウスの斜視図である。
【図１３】他の実施の形態に係る簡易ハウスの斜視図である。
【図１４】他の実施の形態に係る簡易ハウスの斜視図である。
【図１５】図１４の一部拡大縦断側面図である。
【図１６】（Ａ）（Ｂ）は本発明の梁材を温室の妻面側換気装置に利用した状態の斜視図およびこの換気装置が閉じた状態の斜視図である。
【図１７】他の実施の形態に係る温室の屋根側換気装置の斜視図である。
【図１８】（Ａ）（Ｂ）（Ｃ）は図１７の換気装置の作動状態を示す略示斜視図である。
【図１９】他の実施の形態に係る温室の屋根側換気装置の斜視図である。
【図２０】（Ａ）（Ｂ）（Ｃ）は図１９の換気装置の作動工程を示す斜視図である。
【図２１】図１９の換気装置の拡大縦断側面図である。
【図２２】他の実施の形態に係る温室の屋根側換気装置の縦断拡大側面図である。
【図２３】他の実施の形態に係る温室の妻面側換気装置の斜視図である。
【図２４】他の実施の形態に係る温室の天窓に適用した換気装置の斜視図である。
【図２５】本発明の一実施の形態に係る容器の斜視図である。
【図２６】図２５の容器を利用してアスベストを回収する使用状態を示す斜視図である。
【図２７】他の実施の形態に係る容器をアスベストの回収に利用している断面図である。
【図２８】他の実施の形態に係る容器の斜視図である。
【図２９】図２８の容器の正面図である。
【図３０】他の実施の形態に係る容器の斜視図である。
【符号の説明】
【００８１】
１  梁材
２  梁本体
３  係止線条
５  屈曲部
６  枠体
７  シート
８  蟻溝フレーム
９  蟻溝
２３  開口枠
２４  窓枠
２５，２６  ネット
Ａ，Ｃ，Ｄ，Ｅ  温室たる簡易ハウス
Ｙ  容器
【図１】
2007202549.tif 000003
【図２】
2007202549.tif 000004
【図３】
2007202549.tif 000005
【図４】
2007202549.tif 000006
【図５】
2007202549.tif 000007
【図６】
2007202549.tif 000008
【図７】
2007202549.tif 000009
【図８】
2007202549.tif 000010
【図９】
2007202549.tif 000011
【図１０】
2007202549.tif 000012
【図１１】
2007202549.tif 000013
【図１２】
2007202549.tif 000014
【図１３】
2007202549.tif 000015
【図１４】
2007202549.tif 000016
【図１５】
2007202549.tif 000017
【図１６】
2007202549.tif 000018
【図１７】
2007202549.tif 000019
【図１８】
2007202549.tif 000020
【図１９】
2007202549.tif 000021
【図２０】
2007202549.tif 000022
【図２１】
2007202549.tif 000023
【図２２】
2007202549.tif 000024
【図２３】
2007202549.tif 000025
【図２４】
2007202549.tif 000026
【図２５】
2007202549.tif 000027
【図２６】
2007202549.tif 000028
【図２７】
2007202549.tif 000029
【図２８】
2007202549.tif 000030
【図２９】
2007202549.tif 000031
【図３０】
2007202549.tif 000032